(57)【要約】      （修正有）【課題】特殊な部材や複雑な構造を用いることなく、広く、連続したリモートコントローラの受光範囲を有するリモコン受光部及びこれを用いた電子機器を提供する。【解決手段】上側傾斜部４３１と水平面がなす角度をＣ°とすると、角度Ｃ°は、下側から受光素子４１１に直接入射する光信号の限界角度をＡ°、上側から受光素子４１１に直接入射する光信号の限界角度をＤ°とすると、角度Ｃ°として（Ｄ−Ａ）／２に近い値になるように設定する。【選択図】図２
0003110438.tif 000002
【実用新案登録請求の範囲】
【請求項１】
本体と、
前記本体の前面を覆う前面パネルと、
前記前面パネルに配置され動作状態を表示する表示窓と、
前記本体内部に配置される基板と、
前記本体内部に配置されリモートコントローラから出射される光信号を受光するリモコ
ン受光部とを有する電子機器であって、
前記リモコン受光部は前記リモートコントローラから出射される光信号を受光する受光
素子を備え、前記基板に実装される受光センサと、
前記表示窓の内側に形成され、前記リモートコントローラから出射される光信号が入射
するための受光窓部と、
前記受光素子の前方に配置され前記前面パネルと一体で形成され、前記受光窓部から前
記受光素子に向かって開口面積を絞る形状の信号誘導部材とを有しており、
前記信号誘導部材の内周面は前記リモートコントローラから出射される光信号を反射可
能に形成されており、
前記受光窓部の下部の点をとおり光信号が前記受光素子に直接入射するための限界の角
度をＡ°とし、前記受光窓部の上部の点をとおり光信号が前記受光素子に直接入射するた
めの限界角度をＤ°とすると、
前記信号誘導部材の前記上部の点を含む壁面と前記受光素子の受光範囲の中心軸とがな
す角度は｛（Ｄ−Ａ）／２±５｝の範囲内になるように形成されることを特徴とする電子
機器。
【請求項２】
本体と、
前記本体の前面を覆う前面パネルと、
前記本体内部に配置される基板と、
前記本体内部に配置されリモートコントローラから出射される光信号を受光するリモコ
ン受光部とを有する電子機器であって、
前記リモコン受光部は前記リモートコントローラから出射される光信号を受光する受光
素子を備え、前記基板に実装される受光センサと、
前記前面パネルに形成され、前記リモートコントローラから出射される光信号が入射す
るための受光窓部と、
前記受光素子の前方に配置され前記前面パネルと一体で形成され、前記受光窓部から前
記受光素子に向かって開口面積を絞る形状の信号誘導部材とを有しており、
前記信号誘導部材の内周面は前記リモートコントローラから出射される光信号を反射可
能に形成されており、
前記受光窓部の下部の点をとおり光信号が前記受光素子に直接入射するための限界の角
度をＡ°とし、前記受光窓部の上部の点をとおり光信号が前記受光素子に直接入射するた
めの限界角度をＤ°とすると、
前記信号誘導部材の前記上部の点を含む壁面と前記受光素子の受光範囲の中心軸とがな
す角度は（Ｄ−Ａ）／２より小さくなく且つ近い角度になるように形成されることを特徴
とする電子機器。
【請求項３】
本体と、
前記本体の前面を覆う前面パネルと、
前記本体内部に配置される基板と、
前記本体内部に配置されリモートコントローラから出射される光信号を受光するリモコ
ン受光部とを有する電子機器であって、
前記リモコン受光部は前記リモートコントローラから出射される光信号を受光する受光
素子を備え、前記基板に実装される受光センサと、
前記前面パネルに形成され、前記リモートコントローラから出射される光信号が入射す
るための受光窓部と、
前記受光素子の前方に配置され前記前面パネルと一体で形成され、前記受光窓部から前
記受光素子に向かって開口面積を絞る形状の信号誘導部材とを有しており、
前記信号誘導部材の内周面は前記リモートコントローラから出射される光信号を反射可
能に形成されており、
前記受光窓部の下部の点をとおり光信号が前記受光素子に直接入射するための限界の角
度をＡ°とし、前記受光窓部の上部の点をとおり光信号が前記受光素子に直接入射するた
めの限界角度をＤ°とすると、
前記信号誘導部材の前記上部の点を含む壁面と前記受光素子の受光範囲の中心軸とがな
す角度は（Ｄ−Ａ）／２より小さく且つ近い角度になるように形成されることを特徴とす
る電子機器。
【請求項４】
本体と、
前記本体の前面を覆う前面パネルと、
前記本体内部に配置される基板と、
前記本体内部に配置されリモートコントローラから出射される光信号を受光するリモコ
ン受光部とを有する電子機器であって、
前記リモコン受光部は前記リモートコントローラから出射される光信号を受光する受光
素子を備え、前記基板に実装される受光センサと、
前記前面パネルに形成され、前記リモートコントローラから出射される光信号が入射す
るための受光窓部と、
前記受光素子の前方に配置され前記前面パネルと一体で形成され、前記受光窓部から前
記受光素子に向かって開口面積を絞る形状の信号誘導部材とを有しており、
前記信号誘導部材の内周面は前記リモートコントローラから出射される光信号を反射可
能に形成されており、
前記受光窓部の第１の点をとおり光信号が前記受光素子に直接入射するための限界の角
度をＡ°とし、前記第１の点と正対する第２の点をとおり光信号が前記受光素子に直接入
射するための限界角度をＤ°とすると、
前記信号誘導部材の前記第２の点を含む壁面と前記受光素子の受光範囲の中心軸とがな
す角度は｛（Ｄ−Ａ）／２±５｝の範囲内になるように形成されることを特徴とする電子
機器。
【請求項５】
本体と、
前記本体の前面を覆う前面パネルと、
前記本体内部に配置される基板と、
前記本体内部に配置されリモートコントローラから出射される光信号を受光するリモコ
ン受光部とを有する電子機器であって、
前記リモコン受光部は前記リモートコントローラから出射される光信号を受光する受光
素子を備え、前記基板に実装される受光センサと、
前記前面パネルに形成され、前記リモートコントローラから出射される光信号が入射す
るための受光窓部と、
前記受光素子の前方に配置され前記前面パネルと一体で形成され、前記受光窓部から前
記受光素子に向かって開口面積を絞る形状の信号誘導部材とを有しており、
前記信号誘導部材の内周面は前記リモートコントローラから出射される光信号を反射可
能に形成されており、
前記受光窓部の第１の点をとおり光信号が前記受光素子に直接入射するための限界の角
度をＡ°とし、前記第１の点と正対する第２の点をとおり光信号が前記受光素子に直接入
射するための限界角度をＤ°とすると、
前記信号誘導部材の前記第２の点を含む壁面と前記受光素子の受光範囲の中心軸とがな
す角度は（Ｄ−Ａ）／２より小さくなく且つ近い角度になるように形成されることを特徴
とする電子機器。
【請求項６】
本体と、
前記本体の前面を覆う前面パネルと、
前記本体内部に配置される基板と、
前記本体内部に配置されリモートコントローラから出射される光信号を受光するリモコ
ン受光部とを有する電子機器であって、
前記リモコン受光部は前記リモートコントローラから出射される光信号を受光する受光
素子を備え、前記基板に実装される受光センサと、
前記前面パネルに形成され、前記リモートコントローラから出射される光信号が入射す
るための受光窓部と、
前記受光素子の前方に配置され前記前面パネルと一体で形成され、前記受光窓部から前
記受光素子に向かって開口面積を絞る形状の信号誘導部材とを有しており、
前記信号誘導部材の内周面は前記リモートコントローラから出射される光信号を反射可
能に形成されており、
前記受光窓部の第１の点をとおり光信号が前記受光素子に直接入射するための限界の角
度をＡ°とし、前記第１の点と正対する第２の点をとおり光信号が前記受光素子に直接入
射するための限界角度をＤ°とすると、
前記信号誘導部材の前記第２の点を含む壁面と前記受光素子の受光範囲の中心軸とがな
す角度は（Ｄ−Ａ）／２より小さく且つ近い角度になるように形成されることを特徴とす
る電子機器。
【請求項７】
リモートコントローラから出射される光信号を受光するリモコン受光部であって、
前記リモートコントローラから出射される光信号を受光する受光素子を備える受光セン
サと、
前記リモートコントローラから出射される光信号が入射するための受光窓部と、
前記受光素子の前方に配置され、前記受光窓部から前記受光素子に向かって開口面積を
絞る形状の信号誘導部材とを有しており、
前記信号誘導部材の内周面は前記リモートコントローラから出射される光信号を反射可
能に形成されており、
前記受光窓部の下部の点をとおり光信号が前記受光素子に直接入射するための限界の角
度をＡ°とし、前記受光窓部の上部の点をとおり光信号が前記受光素子に直接入射するた
めの限界角度をＤ°とすると、
前記信号誘導部材の前記上部の点を含む壁面と前記受光素子の受光範囲の中心軸とがな
す角度は｛（Ｄ−Ａ）／２±５｝の範囲内になるように形成されることを特徴とするリモ
コン受光部。
【請求項８】
リモートコントローラから出射される光信号を受光するリモコン受光部であって、
前記リモートコントローラから出射される光信号を受光する受光素子を備える受光セン
サと、
前記リモートコントローラから出射される光信号が入射するための受光窓部と、
前記受光素子の前方に配置され、前記受光窓部から前記受光素子に向かって開口面積を
絞る形状の信号誘導部材とを有しており、
前記信号誘導部材の内周面は前記リモートコントローラから出射される光信号を反射可
能に形成されており、
前記受光窓部の下部の点をとおり光信号が前記受光素子に直接入射するための限界の角
度をＡ°とし、前記受光窓部の上部の点をとおり光信号が前記受光素子に直接入射するた
めの限界角度をＤ°とすると、
前記信号誘導部材の前記上部の点を含む壁面と前記受光素子の受光範囲の中心軸とがな
す角度は（Ｄ−Ａ）／２より小さくなく且つ近い角度になるように形成されることを特徴
とするリモコン受光部。
【請求項９】
リモートコントローラから出射される光信号を受光するリモコン受光部であって、
前記リモートコントローラから出射される光信号を受光する受光素子を備える受光セン
サと、
前記リモートコントローラから出射される光信号が入射するための受光窓部と、
前記受光素子の前方に配置され、前記受光窓部から前記受光素子に向かって開口面積を
絞る形状の信号誘導部材とを有しており、
前記信号誘導部材の内周面は前記リモートコントローラから出射される光信号を反射可
能に形成されており、
前記受光窓部の下部の点をとおり光信号が前記受光素子に直接入射するための限界の角
度をＡ°とし、前記受光窓部の上部の点をとおり光信号が前記受光素子に直接入射するた
めの限界角度をＤ°とすると、
前記信号誘導部材の前記上部の点を含む壁面と前記受光素子の受光範囲の中心軸とがな
す角度は（Ｄ−Ａ）／２より小さく且つ近い角度になるように形成されることを特徴とす
るリモコン受光部。
【請求項１０】
リモートコントローラから出射される光信号を受光するリモコン受光部であって、
前記リモートコントローラから出射される光信号を受光する受光素子を備える受光セン
サと、
前記リモートコントローラから出射される光信号が入射するための受光窓部と、
前記受光素子の前方に配置され、前記受光窓部から前記受光素子に向かって開口面積を
絞る形状の信号誘導部材とを有しており、
前記信号誘導部材の内周面は前記リモートコントローラから出射される光信号を反射可
能に形成されており、
前記受光窓部の第１の点をとおり光信号が前記受光素子に直接入射するための限界の角
度をＡ°とし、前記第１の点と正対する第２の点をとおり光信号が前記受光素子に直接入
射するための限界角度をＤ°とすると、
前記信号誘導部材の前記第２の点を含む壁面と前記受光素子の受光範囲の中心軸とがな
す角度は｛（Ｄ−Ａ）／２±５｝の範囲内になるように形成されることを特徴とするリモ
コン受光部。
【請求項１１】
リモートコントローラから出射される光信号を受光するリモコン受光部であって、
前記リモートコントローラから出射される光信号を受光する受光素子を備える受光セン
サと、
前記リモートコントローラから出射される光信号が入射するための受光窓部と、
前記受光素子の前方に配置され、前記受光窓部から前記受光素子に向かって開口面積を
絞る形状の信号誘導部材とを有しており、
前記信号誘導部材の内周面は前記リモートコントローラから出射される光信号を反射可
能に形成されており、
前記受光窓部の第１の点をとおり光信号が前記受光素子に直接入射するための限界の角
度をＡ°とし、前記第１の点と正対する第２の点をとおり光信号が前記受光素子に直接入
射するための限界角度をＤ°とすると、
前記信号誘導部材の前記第２の点を含む壁面と前記受光素子の受光範囲の中心軸とがな
す角度は（Ｄ−Ａ）／２より小さくなく且つ近い角度になるように形成されることを特徴
とするリモコン受光部。
【請求項１２】
リモートコントローラから出射される光信号を受光するリモコン受光部であって、
前記リモートコントローラから出射される光信号を受光する受光素子を備える受光セン
サと、
前記リモートコントローラから出射される光信号が入射するための受光窓部と、
前記受光素子の前方に配置され、前記受光窓部から前記受光素子に向かって開口面積を
絞る形状の信号誘導部材とを有しており、
前記信号誘導部材の内周面は前記リモートコントローラから出射される光信号を反射可
能に形成されており、
前記受光窓部の第１の点をとおり光信号が前記受光素子に直接入射するための限界の角
度をＡ°とし、前記第１の点と正対する第２の点をとおり光信号が前記受光素子に直接入
射するための限界角度をＤ°とすると、
前記信号誘導部材の前記第２の点を含む壁面と前記受光素子の受光範囲の中心軸とがな
す角度は（Ｄ−Ａ）／２より小さく且つ近い角度になるように形成されることを特徴とす
るリモコン受光部。
【考案の詳細な説明】
【技術分野】
【０００１】
本考案は、光学式のリモコン受光部に関し、このリモコン受光部を備えた電子機器に関
するものである。
【背景技術】
【０００２】
近年、多くのテレビ受像機、ＶＴＲ、ＤＶＤプレーヤ等の電子機器には、離れた場所よ
り該電子機器を操作するためのリモートコントローラが備えられている。前記リモートコ
ントローラは赤外線等を用いる光学式のものが多く、前記電子機器の前面には前記リモー
トコントローラからの光信号を受信するためのリモコン受光部が備えられている。
【０００３】
従来のリモコン受光部を図面を参照して説明する。図４に従来の電子機器のリモコン受
光部が配置されている部分の断面図を示す。図４に示す電子機器は本体部９１と、本体部
９１に着脱可能に取り付けられた前面パネル９２と、本体部９１に取り付けられた基板９
３と、リモコン受光部９４とを有している。図４において矢線は入射光を示している。
【０００４】
図４に示すように前面パネル９２の正面部９２１は傾斜している。前面パネル９２は正
面部９２１に電子機器の動作状態等を表示するための表示窓９２２が形成されている。表
示窓９２２には外部から表示以外のものが見えるのを防ぐためのカバー９２３が取り付け
られている。
【０００５】
リモコン受光部９４は基板９３に実装された受光センサ９４１と、受光センサ９４１に
光が入射するための受光窓部９４２と、受光窓部９４２と受光センサ９４１の間にすり鉢
状に形成される信号誘導部材９４３とを有している。信号誘導部材９４３は前面パネル９
２と一体に形成される。受光センサ９４１は信号誘導部材９４３に面して配置される受光
素子９４４と、受光素子９４４を信号誘導部材９４３の正面に取り付けるための逆Ｌ字型
のホルダ９４５とを有している。受光素子９４４はリモートコントローラより出射された
光を受光している。
【０００６】
受光素子９４４にリモートコントローラＲｍから出射される光信号が入射するために受
光窓部９４２が形成されている。受光窓部９４２からすり鉢状に延びる信号誘導部材９４
３を形成することで受光素子９４４が光信号を受光するための前面パネル９２の開口を小
さくすることができる。これにより、リモコン受光部９４より電子機器の内部が見えるの
を抑えることができる。
【０００７】
また、信号誘導部材９４３のすり鉢状に形成されている部分の内面は光信号が反射でき
るように形成されている。リモコン受光部９４に配置されている受光素子９４４は受光感
度に指向特性があり、受光感度の指向特性の範囲（受光素子９４４の前面の所定の角度の
範囲）内において、リモートコントローラＲｍより発信される光信号を受光することがで
きる。そこで、信号誘導部材９４３をつけることで、光信号が信号誘導部材９４３の内面
で反射し受光可能な範囲を拡げることができる。
【０００８】
特開平１０−２１０５７８号公報に記載の発明は、リモートコントロール装置から出射
された光信号を受光素子に誘導する筒状の信号誘導部材を設けているものを開示している
。
【特許文献１】特開平１０−２１０５７８号公報
【考案の開示】
【考案が解決しようとする課題】
【０００９】
しかしながら、リモコン受光部９４が信号誘導部材９４３を備えている場合、リモコン
受光部９４の受光範囲内であっても、入射してくる角度によってはリモートコントローラ
から出射される光信号が受光素子９４４に入射せず、電子機器を操作できない場合もある
。すなわち、受光範囲内から出射された光信号であっても、信号誘導部材９４３の内面で
の反射位置によっては、光信号が受光素子９４４に入射せず受光されない場合もある。特
開平１０−２１０５７８号公報に記載の発明も同様の問題点を有している。
【００１０】
リモコン受光部９４の受光範囲を広げるためには信号誘導部材９４３の受光窓部９４２
側から受光素子９４４までの長さを長くすればよいが、この場合、電子機器に無駄な空間
が必要になるとともに、前面パネル９２の外面形状にも影響し、前面パネル９２の意匠性
が損なわれる等の不具合がある。
【００１１】
上記のような、途中で受光範囲が途切れて受光できなくなる又は信号誘導部材９４３の
長さが長くなるのを防ぐために、図５に示すように受光窓部９４２にレンズ９４６を備え
た電子機器がある。レンズ９４６は所定の範囲内から入射してきた光信号を受光素子９４
４の指向特性の範囲内に入るように屈折させて入射させることができ、受光できない範囲
を減らすことができるとともに、信号誘導部材９４３の長さを短くすることができる。
【００１２】
しかしながら、受光窓部９４２にレンズを備えるものの場合、レンズ９４６を別途用意
なくてはならず、部品点数が増え構造が複雑になる。その結果、電子機器の製造、組み立
てに手間と時間がかかり、電子機器の製造コストが高くなる。
【００１３】
そこで本考案は、特殊な部材や複雑な構造を用いることなく、リモートコントローラの
受光範囲を拡げることができるリモコン受光部及びこれを用いた電子機器を提供すること
を目的とする。
【００１４】
また本考案は、特殊な部材や複雑な構造を用いることなく、連続したリモートコントロ
ーラの受光範囲を有するリモコン受光部及びこれを用いた電子機器を提供することを目的
とする。
【課題を解決するための手段】
【００１５】
上記目的を達成するために本考案は、本体と、前記本体の前面を覆う前面パネルと、前
記前面パネルに配置され動作状態を表示する表示窓と、前記本体内部に配置される基板と
、前記本体内部に配置されリモートコントローラから出射される光信号を受光するリモコ
ン受光部とを有する電子機器であって、前記リモコン受光部は前記リモートコントローラ
から出射される光信号を受光する受光素子を備え、前記基板に実装される受光センサと、
前記表示窓の内側に形成され、前記リモートコントローラから出射される光信号が入射す
るための受光窓部と、前記受光素子の前方に配置され前記前面パネルと一体で形成され、
前記受光窓部から前記受光素子に向かって開口面積を絞る形状の信号誘導部材とを有して
おり、前記信号誘導部材の内周面は前記リモートコントローラから出射される光信号を反
射可能に形成されており、前記受光窓部の下部の点をとおり光信号が前記受光素子に直接
入射するための限界の角度をＡ°とし、前記受光窓部の上部の点をとおり光信号が前記受
光素子に直接入射するための限界角度をＤ°とすると、前記信号誘導部材の前記上部の点
を含む壁面と前記受光素子の受光範囲の中心軸とがなす角度は｛（Ｄ−Ａ）／２±５｝の
範囲内になるように形成されることを特徴とする電子機器を提供する。
【００１６】
この構成によると、直接入射する限界角度Ａ°よりも大きな角度で下方より入射されて
くる光信号を前記信号誘導部材の内周面で反射することで、前記受光素子で受光すること
ができる。また、限界角度Ａ°をこえた角度から前記反射による入射角度までの間の全て
の角度で下方より入射してくる光信号を全て前記受光素子にて受光することが可能である
。
【００１７】
また上記目的を達成するために本考案は、本体と、前記本体の前面を覆う前面パネルと
、前記本体内部に配置される基板と、前記本体内部に配置されリモートコントローラから
出射される光信号を受光するリモコン受光部とを有する電子機器であって、前記リモコン
受光部は前記リモートコントローラから出射される光信号を受光する受光素子を備え、前
記基板に実装される受光センサと、前記前面パネルに形成され、前記リモートコントロー
ラから出射される光信号が入射するための受光窓部と、前記受光素子の前方に配置され前
記前面パネルと一体で形成され、前記受光窓部から前記受光素子に向かって開口面積を絞
る形状の信号誘導部材とを有しており、前記信号誘導部材の内周面は前記リモートコント
ローラから出射される光信号を反射可能に形成されており、前記受光窓部の下部の点をと
おり光信号が前記受光素子に直接入射するための限界の角度をＡ°とし、前記受光窓部の
上部の点をとおり光信号が前記受光素子に直接入射するための限界角度をＤ°とすると、
前記信号誘導部材の前記上部の点を含む壁面と前記受光素子の受光範囲の中心軸とがなす
角度は（Ｄ−Ａ）／２より小さくなく且つ近い角度になるように形成されることを特徴と
する電子機器を提供する。
【００１８】
この構成によると、下方から入射してくる光信号を前記受光素子で受光するように反射
できる前記信号誘導部材を形成するので、直接入射するための限界角度Ａ°を超えた角度
から入射してくる光信号を前記受光素子にて受光することができる。また、前記信号誘導
部材の前記上部の点を含む壁面と前記受光素子の受光範囲の中心軸とがなす角度を（Ｄ−
Ａ）／２より小さくなく且つ近い角度になるように形成しているので、前記受光窓部から
前記受光素子までの長さが短くても該受光素子にて受光可能であり、それだけ、前記前面
パネルを寄り自由度の高い形状に形成することが可能である。
【００１９】
さらに上記目的を達成するために本考案は、本体と、前記本体の前面を覆う前面パネル
と、前記本体内部に配置される基板と、前記本体内部に配置されリモートコントローラか
ら出射される光信号を受光するリモコン受光部とを有する電子機器であって、前記リモコ
ン受光部は前記リモートコントローラから出射される光信号を受光する受光素子を備え、
前記基板に実装される受光センサと、前記前面パネルに形成され、前記リモートコントロ
ーラから出射される光信号が入射するための受光窓部と、前記受光素子の前方に配置され
前記前面パネルと一体で形成され、前記受光窓部から前記受光素子に向かって開口面積を
絞る形状の信号誘導部材とを有しており、前記信号誘導部材の内周面は前記リモートコン
トローラから出射される光信号を反射可能に形成されており、前記受光窓部の下部の点を
とおり光信号が前記受光素子に直接入射するための限界の角度をＡ°とし、前記受光窓部
の上部の点をとおり光信号が前記受光素子に直接入射するための限界角度をＤ°とすると
、前記信号誘導部材の前記上部の点を含む壁面と前記受光素子の受光範囲の中心軸とがな
す角度は（Ｄ−Ａ）／２より小さく且つ近い角度になるように形成されることを特徴とす
る電子機器を提供する。
【００２０】
この構成によると、下方より入射してくる光信号を反射させて前記受光素子で受光でき
るように前記信号誘導部材を形成するので、直接入射するための限界角度Ａ°を超えた角
度で下方より入射してくる光信号を前記受光素子にて受光することができる。また、前記
信号誘導部材の前記上部の点を含む壁面と前記受光素子の受光範囲の中心軸とがなす角度
を（Ｄ−Ａ）／２より小さく且つ近い角度になるように形成しており、反射する光信号が
受光素子に入射する角度が緩い角度になる。これにより前記受光素子の光信号を受光する
ときの限界範囲（指向特性）が狭くても光信号を受光することができる。
【００２１】
上記目的を達成するために本考案は、本体と、前記本体の前面を覆う前面パネルと、前
記本体内部に配置される基板と、前記本体内部に配置されリモートコントローラから出射
される光信号を受光するリモコン受光部とを有する電子機器であって、前記リモコン受光
部は前記リモートコントローラから出射される光信号を受光する受光素子を備え、前記基
板に実装される受光センサと、前記前面パネルに形成され、前記リモートコントローラか
ら出射される光信号が入射するための受光窓部と、前記受光素子の前方に配置され前記前
面パネルと一体で形成され、前記受光窓部から前記受光素子に向かって開口面積を絞る形
状の信号誘導部材とを有しており、前記信号誘導部材の内周面は前記リモートコントロー
ラから出射される光信号を反射可能に形成されており、前記受光窓部の第１の点をとおり
光信号が前記受光素子に直接入射するための限界の角度をＡ°とし、前記第１の点と正対
する第２の点をとおり光信号が前記受光素子に直接入射するための限界角度をＤ°とする
と、前記信号誘導部材の前記第２の点を含む壁面と前記受光素子の受光範囲の中心軸とが
なす角度は｛（Ｄ−Ａ）／２±５｝の範囲内になるように形成されることを特徴とする電
子機器を提供する。
【００２２】
この構成によると、直接入射する限界角度Ａ°よりも大きな角度で入射されてくる光信
号を前記信号誘導部材の内周面で反射することで、前記受光素子で受光することができる
。また、限界角度Ａ°をこえた角度から前記反射による入射角度までの間の全ての角度で
入射してくる光信号を全て前記受光素子にて受光することが可能である。
【００２３】
上記目的を達成するために本考案は、本体と、前記本体の前面を覆う前面パネルと、前
記本体内部に配置される基板と、前記本体内部に配置されリモートコントローラから出射
される光信号を受光するリモコン受光部とを有する電子機器であって、前記リモコン受光
部は前記リモートコントローラから出射される光信号を受光する受光素子を備え、前記基
板に実装される受光センサと、前記前面パネルに形成され、前記リモートコントローラか
ら出射される光信号が入射するための受光窓部と、前記受光素子の前方に配置され前記前
面パネルと一体で形成され、前記受光窓部から前記受光素子に向かって開口面積を絞る形
状の信号誘導部材とを有しており、前記信号誘導部材の内周面は前記リモートコントロー
ラから出射される光信号を反射可能に形成されており、前記受光窓部の第１の点をとおり
光信号が前記受光素子に直接入射するための限界の角度をＡ°とし、前記第１の点と正対
する第２の点をとおり光信号が前記受光素子に直接入射するための限界角度をＤ°とする
と、前記信号誘導部材の前記第２の点を含む壁面と前記受光素子の受光範囲の中心軸とが
なす角度は（Ｄ−Ａ）／２より小さくなく且つ近い角度になるように形成されることを特
徴とする電子機器を提供する。
【００２４】
この構成によると、入射してくる光信号を前記受光素子で受光するように反射できる前
記信号誘導部材を形成するので、直接入射するための限界角度Ａ°を超えた角度で入射し
てくる光信号を前記受光素子にて受光することができる。また、前記信号誘導部材の前記
第１の点を含む壁面と前記受光素子の受光範囲の中心軸とがなす角度を（Ｄ−Ａ）／２よ
り小さくなく且つ近い角度になるように形成しているので、前記受光窓部から前記受光素
子までの長さが短くても該受光素子にて受光可能であり、それだけ、前記前面パネルを寄
り自由度の高い形状に形成することが可能である。
【００２５】
上記目的を達成するために本考案は、本体と、前記本体の前面を覆う前面パネルと、前
記本体内部に配置される基板と、前記本体内部に配置されリモートコントローラから出射
される光信号を受光するリモコン受光部とを有する電子機器であって、前記リモコン受光
部は前記リモートコントローラから出射される光信号を受光する受光素子を備え、前記基
板に実装される受光センサと、前記前面パネルに形成され、前記リモートコントローラか
ら出射される光信号が入射するための受光窓部と、前記受光素子の前方に配置され前記前
面パネルと一体で形成され、前記受光窓部から前記受光素子に向かって開口面積を絞る形
状の信号誘導部材とを有しており、前記信号誘導部材の内周面は前記リモートコントロー
ラから出射される光信号を反射可能に形成されており、前記受光窓部の第１の点をとおり
光信号が前記受光素子に直接入射するための限界の角度をＡ°とし、前記第１の点と正対
する第２の点をとおり光信号が前記受光素子に直接入射するための限界角度をＤ°とする
と、前記信号誘導部材の前記第２の点を含む壁面と前記受光素子の受光範囲の中心軸とが
なす角度は（Ｄ−Ａ）／２より小さく且つ近い角度になるように形成されることを特徴と
する電子機器を提供する。
【００２６】
この構成によると、入射してくる光信号を反射させて前記受光素子で受光できるように
前記信号誘導部材を形成するので、直接入射するための限界角度Ａ°を超えた角度で入射
してくる光信号を前記受光素子にて受光することができる。また、前記信号誘導部材の前
記第１の点を含む壁面と前記受光素子の受光範囲の中心軸とがなす角度を（Ｄ−Ａ）／２
より小さく且つ近い角度になるように形成しており、反射する光信号が受光素子に入射す
る角度が緩い角度になる。これにより前記受光素子の光信号を受光するときの限界範囲（
指向特性）が狭くても光信号を受光することができる。
【００２７】
上記目的を達成するために本考案は、リモートコントローラから出射される光信号を受
光するリモコン受光部であって、前記リモートコントローラから出射される光信号を受光
する受光素子を備える受光センサと、前記リモートコントローラから出射される光信号が
入射するための受光窓部と、前記受光素子の前方に配置され、前記受光窓部から前記受光
素子に向かって開口面積を絞る形状の信号誘導部材とを有しており、前記信号誘導部材の
内周面は前記リモートコントローラから出射される光信号を反射可能に形成されており、
前記受光窓部の下部の点をとおり光信号が前記受光素子に直接入射するための限界の角度
をＡ°とし、前記受光窓部の上部の点をとおり光信号が前記受光素子に直接入射するため
の限界角度をＤ°とすると、前記信号誘導部材の前記上部の点を含む壁面と前記受光素子
の受光範囲の中心軸とがなす角度は｛（Ｄ−Ａ）／２±５｝の範囲内になるように形成さ
れることを特徴とするリモコン受光部を提供する。
【００２８】
この構成によると、直接入射する限界角度Ａ°よりも大きな角度で下方より入射されて
くる光信号を前記信号誘導部材の内周面で反射することで、前記受光素子で受光すること
ができる。また、限界角度Ａ°をこえた角度から前記反射による入射角度までの間の全て
の角度で下方より入射してくる光信号を全て前記受光素子にて受光することが可能である
。
【００２９】
上記目的を達成するために本考案は、リモートコントローラから出射される光信号を受
光するリモコン受光部であって、前記リモートコントローラから出射される光信号を受光
する受光素子を備える受光センサと、前記リモートコントローラから出射される光信号が
入射するための受光窓部と、前記受光素子の前方に配置され、前記受光窓部から前記受光
素子に向かって開口面積を絞る形状の信号誘導部材とを有しており、前記信号誘導部材の
内周面は前記リモートコントローラから出射される光信号を反射可能に形成されており、
前記受光窓部の下部の点をとおり光信号が前記受光素子に直接入射するための限界の角度
をＡ°とし、前記受光窓部の上部の点をとおり光信号が前記受光素子に直接入射するため
の限界角度をＤ°とすると、前記信号誘導部材の前記上部の点を含む壁面と前記受光素子
の受光範囲の中心軸とがなす角度は（Ｄ−Ａ）／２より小さくなく且つ近い角度になるよ
うに形成されることを特徴とするリモコン受光部を提供する。
【００３０】
この構成によると、下方から入射してくる光信号を前記受光素子で受光するように反射
できる前記信号誘導部材を形成するので、直接入射するための限界角度Ａ°を超えた角度
から入射してくる光信号を前記受光素子にて受光することができる。また、前記信号誘導
部材の前記上部の点を含む壁面と前記受光素子の受光範囲の中心軸とがなす角度を（Ｄ−
Ａ）／２より小さくなく且つ近い角度になるように形成しているので、前記受光窓部から
前記受光素子までの長さが短くても該受光素子にて受光可能である。
【００３１】
上記目的を達成するために本考案は、リモートコントローラから出射される光信号を受
光するリモコン受光部であって、前記リモートコントローラから出射される光信号を受光
する受光素子を備える受光センサと、前記リモートコントローラから出射される光信号が
入射するための受光窓部と、前記受光素子の前方に配置され、前記受光窓部から前記受光
素子に向かって開口面積を絞る形状の信号誘導部材とを有しており、前記信号誘導部材の
内周面は前記リモートコントローラから出射される光信号を反射可能に形成されており、
前記受光窓部の下部の点をとおり光信号が前記受光素子に直接入射するための限界の角度
をＡ°とし、前記受光窓部の上部の点をとおり光信号が前記受光素子に直接入射するため
の限界角度をＤ°とすると、  前記信号誘導部材の前記上部の点を含む壁面と前記受光素
子の受光範囲の中心軸とがなす角度は（Ｄ−Ａ）／２より小さく且つ近い角度になるよう
に形成されることを特徴とするリモコン受光部を提供する。
【００３２】
この構成によると、下方より入射してくる光信号を反射させて前記受光素子で受光でき
るように前記信号誘導部材を形成するので、直接入射するための限界角度Ａ°を超えた角
度で下方より入射してくる光信号を前記受光素子にて受光することができる。また、前記
信号誘導部材の前記上部の点を含む壁面と前記受光素子の受光範囲の中心軸とがなす角度
を（Ｄ−Ａ）／２より小さく且つ近い角度になるように形成しており、反射する光信号が
受光素子に入射する角度が緩い角度になる。これにより前記受光素子の光信号を受光する
ときの限界範囲（指向特性）が狭くても光信号を受光することができる。
【００３３】
上記目的を達成するために本考案は、リモートコントローラから出射される光信号を受
光するリモコン受光部であって、前記リモートコントローラから出射される光信号を受光
する受光素子を備える受光センサと、前記リモートコントローラから出射される光信号が
入射するための受光窓部と、前記受光素子の前方に配置され、前記受光窓部から前記受光
素子に向かって開口面積を絞る形状の信号誘導部材とを有しており、前記信号誘導部材の
内周面は前記リモートコントローラから出射される光信号を反射可能に形成されており、
前記受光窓部の第１の点をとおり光信号が前記受光素子に直接入射するための限界の角度
をＡ°とし、前記第１の点と正対する第２の点をとおり光信号が前記受光素子に直接入射
するための限界角度をＤ°とすると、前記信号誘導部材の前記第２の点を含む壁面と前記
受光素子の受光範囲の中心軸とがなす角度は｛（Ｄ−Ａ）／２±５｝の範囲内になるよう
に形成されることを特徴とするリモコン受光部を提供する。
【００３４】
この構成によると、直接入射する限界角度Ａ°よりも大きな角度で入射されてくる光信
号を前記信号誘導部材の内周面で反射することで、前記受光素子で受光することができる
。また、限界角度Ａ°をこえた角度から前記反射による入射角度までの間の全ての角度で
入射してくる光信号を全て前記受光素子にて受光することが可能である。
【００３５】
上記目的を達成するために本考案は、リモートコントローラから出射される光信号を受
光するリモコン受光部であって、前記リモートコントローラから出射される光信号を受光
する受光素子を備える受光センサと、前記リモートコントローラから出射される光信号が
入射するための受光窓部と、前記受光素子の前方に配置され、前記受光窓部から前記受光
素子に向かって開口面積を絞る形状の信号誘導部材とを有しており、前記信号誘導部材の
内周面は前記リモートコントローラから出射される光信号を反射可能に形成されており、
前記受光窓部の第１の点をとおり光信号が前記受光素子に直接入射するための限界の角度
をＡ°とし、前記第１の点と正対する第２の点をとおり光信号が前記受光素子に直接入射
するための限界角度をＤ°とすると、前記信号誘導部材の前記第２の点を含む壁面と前記
受光素子の受光範囲の中心軸とがなす角度は（Ｄ−Ａ）／２より小さくなく且つ近い角度
になるように形成されることを特徴とするリモコン受光部を提供する。
【００３６】
この構成によると、入射してくる光信号を前記受光素子で受光するように反射できる前
記信号誘導部材を形成するので、直接入射するための限界角度Ａ°を超えた角度で入射し
てくる光信号を前記受光素子にて受光することができる。また、前記信号誘導部材の前記
第１の点を含む壁面と前記受光素子の受光範囲の中心軸とがなす角度を（Ｄ−Ａ）／２よ
り小さくなく且つ近い角度になるように形成しているので、前記受光窓部から前記受光素
子までの長さが短くても該受光素子にて受光可能である。
【００３７】
上記目的を達成するために本考案は、リモートコントローラから出射される光信号を受
光するリモコン受光部であって、前記リモートコントローラから出射される光信号を受光
する受光素子を備える受光センサと、前記リモートコントローラから出射される光信号が
入射するための受光窓部と、前記受光素子の前方に配置され、前記受光窓部から前記受光
素子に向かって開口面積を絞る形状の信号誘導部材とを有しており、前記信号誘導部材の
内周面は前記リモートコントローラから出射される光信号を反射可能に形成されており、
前記受光窓部の第１の点をとおり光信号が前記受光素子に直接入射するための限界の角度
をＡ°とし、前記第１の点と正対する第２の点をとおり光信号が前記受光素子に直接入射
するための限界角度をＤ°とすると、前記信号誘導部材の前記第２の点を含む壁面と前記
受光素子の受光範囲の中心軸とがなす角度は（Ｄ−Ａ）／２より小さく且つ近い角度にな
るように形成されることを特徴とするリモコン受光部を提供する。
【００３８】
この構成によると、入射してくる光信号を反射させて前記受光素子で受光できるように
前記信号誘導部材を形成するので、直接入射するための限界角度Ａ°を超えた角度で入射
してくる光信号を前記受光素子にて受光することができる。また、前記信号誘導部材の前
記第１の点を含む壁面と前記受光素子の受光範囲の中心軸とがなす角度を（Ｄ−Ａ）／２
より小さく且つ近い角度になるように形成しており、反射する光信号が受光素子に入射す
る角度が緩い角度になる。これにより前記受光素子の光信号を受光するときの限界範囲（
指向特性）が狭くても光信号を受光することができる。
【考案の効果】
【００３９】
本考案によると、特殊な部材や複雑な構造を用いることなく、リモートコントローラよ
り出射される光信号の受光範囲を拡げることができるリモコン受光部及びこれを用いた電
子機器を提供することができる。
【００４０】
また本考案によると、特殊な部材や複雑な構造を用いることなく、広く、連続した範囲
においてリモートコントローラから出射される光信号を受光することができるリモコン受
光部及びこれを用いた電子機器を提供することができる。
【００４１】
さらに本考案によると、特殊な部材や複雑な構成を用いることなく、広く、連続した範
囲でリモートコントローラから出射される光信号を受光することができ、前面パネルの前
記受光窓から、前記受光素子までの長さを短くすることができる。これによって、前記前
面パネルの形状の自由度をあげることができる。
【００４２】
また本考案によると、特殊な部材や複雑な構成を用いることなく、前記受光素子の指向
性が高かったり前記受光窓部に減衰率の高いカバー部材が配置されたりしても、リモート
コントローラから出射される光信号の受信範囲を拡大できるリモコン受光部及びこれを用
いた電子機器を提供することができる。このことより、前記受光素子等の構成部材の選択
範囲が広がり、製造効率を高めることができる。
【００４３】
これらのことより、リモートコントローラから出射される光信号の受信領域が広くなり
、それだけ、設置範囲を限定されないリモコン受光部及びこれを用いた電子機器を提供す
ることができる。
【考案を実施するための最良の形態】
【００４４】
以下に本考案の実施形態を図面を参照して説明する。図１に本考案にかかる電子機器の
断面図を示す。図１に示す電子機器は本体１と、本体１の前面を覆う前面パネル２と、本
体１の内部に配置される基板３と、リモートコントローラＲｍから出射される光信号を受
光するリモコン受光部４とを有している。
【００４５】
図１に示すように前面パネル２の正面部２１は傾斜している。前面パネル２は正面部２
１に電子機器の動作状態等を表示するための表示窓２２が形成されている。表示窓２２に
は外部から表示以外のものが見えるのを防ぐためのカバー２３が取り付けられている。
【００４６】
リモコン受光部４は基板３に実装される受光センサ４１と、表示窓２２の内部に形成さ
れ、リモートコントローラＲｍから出射される光信号が入射する受光窓部４２と、受光セ
ンサ４１の後述する受光素子４１１の前方に配置される信号誘導部材４３とを有している
。
【００４７】
基板３には、画像処理を行う画像処理回路やりリモコン受光部４で受光した光信号を処
理するための信号処理回路等（いずれも不図示）が構成されている。
【００４８】
受光センサ４１は受光素子４１１と受光素子４１１を実装するためのホルダ４１０が設
置されている。ホルダ４１０は側面視逆Ｌ字形状であり、その先端にリモートコントロー
ラＲｍより出射された光信号が入射されるとその光信号を電気信号に変換する受光素子４
１１が実装されている。受光素子４１１はリモートコントローラＲｍより出射された光信
号を効率よく受信できるように、受光面が受光窓部４２に対してほぼ正面を向くようにホ
ルダ４１０に実装されている。
【００４９】
信号誘導部材４３は受光窓部４２と受光センサ４１の受光素子４１１の間に配設されて
いる。信号誘導部材４３は受光窓４２の周囲にそって筒状に突設されており、前面パネル
２と一体に形成されている。
【００５０】
信号誘導部材４３はリモートコントローラＲｍより出射され、受光窓４３を通過した光
信号をその内面で反射させて受光素子４１１に誘導するためのものであり、その内面は光
信号を反射できるようになっている。信号誘導部材４３の内面を光信号が反射しやすいよ
うにしておくことが好ましく、例えば、鏡面仕上げ、金属めっき等を施したり、金属膜等
の反射膜を貼り付けたりしてもよい。
【００５１】
図２に図１に示すリモコン受光部の信号誘導部材の一例の拡大断面図を示す。図２に示
すリモコン受光部４の信号誘導部材４３は上側傾斜部４３１と水平面がなす角が下側傾斜
部４３２と水平面がなす角よりも緩い角度に形成されている。上側傾斜部４３１と水平面
がなす角度をＣ°、下側から受光素子４１１に直接入射する光信号の限界角度をＡ°、上
側から受光素子４１１に直接入射する光信号の限界角度をＤ°とすると、角度Ｃ°は（Ｄ
−Ａ）／２に近い値になるように設定される。
【００５２】
角度Ｃ°が上記範囲に入るように形成された信号誘導部材４３を用いることで、図２に
示すように、下側からのリモートコントローラＲｍから出射される光信号の入射角度は直
接入射する限界角度Ａ°よりも大きな角度Ｂ°になる。すなわち、リモートコントローラ
Ｒｍから出射される光信号が直接入射するための限界角度を超えていても、角度Ｂ°で受
光窓部４２に入射した光信号は上側傾斜部４３１で反射して受光素子４１１に入射する。
【００５３】
またこのとき、限界角度Ａ°から角度Ｂ°までの角度から出射された光信号はどこから
出射された光信号であっても受光素子４１１で受光可能である。すなわち、限界角度Ｄ°
の線Ｌ１から角度Ｂ°の線Ｌ２までの範囲から入射してくる光信号は全て受光素子４１１
で受光することが可能である。
【００５４】
図３（Ａ）、図３（Ｂ）に図２に示すリモコン受光部の信号誘導部材の他の例の拡大断
面図を示す。図３（Ａ）、図３（Ｂ）に示すリモコン受光部は信号誘導部材の上側傾斜部
の傾斜角度が異なる以外は図２に示す信号誘導部材と同様の構成を有しており、実質上同
一の部分には同一の符号が付してある。
【００５５】
図３（Ａ）に示す信号誘導部材４３ａは光信号を受光できる範囲（角度）が広い受光素
子４１１ａを用いたリモコン受光部４ａに利用されるものである。リモートコントローラ
Ｒｍから出射される光信号が受光素子４１１ａに直接入射する下側の限界角度をＡ°、上
側の限界角度をＤ°とすると、上側傾斜部４３１ａは傾斜角Ｃ°が（Ｄ−Ａ）／２よりも
小さくなく、且つ、近い値になっている。それには限らないが、ここでは、傾斜角Ｃ°は
（Ｄ−Ａ）／２＋５である。
【００５６】
このように信号誘導部材４３ａの上側傾斜部４３１ａの傾斜角Ｃ°を決定することで、
角度Ｅ°で入射してきた光信号が上側傾斜部４３１で反射し受光素子４１１ａに入射する
ときの角度がきつくなる。角度がきつくなっても、受光素子４１１ａが広範囲（高角度）
で受光することができるので、受光素子４１１ａがリモートコントローラＲｍより出射す
る光信号を受光し、電子機器を操作することができる。この構成の場合、受光窓部４２ａ
から受光素子４１１ａまでの長さＬａを短くすることができるので、前面パネル２の形状
の自由度を高めることができる。
【００５７】
図３（Ｂ）に示す信号誘導部材４３ｂは光信号を受光できる範囲（角度）が狭い受光素
子を用いたリモコン受光部４ｂに利用されるものである。リモートコントローラＲｍから
出射される光信号が受光素子４１１ｂに直接入射する下側の限界角度をＡ°、上側の限界
角度をＤ°とすると、上側傾斜部４３１ｂは傾斜角Ｃ°が（Ｄ−Ａ）／２よりも大きくな
く、且つ、近い値になっている。それには限らないがここでは、傾斜角Ｃは（Ｄ−Ａ）／
２−５である。
【００５８】
このように上側傾斜部４１１ｂの傾斜角Ｃ°を決定することで、角度Ｆ°で入射してき
た光信号が上側傾斜部４３１ｂで反射し受光素子４１１ｂに入射するときの角度が緩くな
る。入射角度が小さくなるので受光素子４１１ｂの受光範囲が狭くても、換言すると、受
光できる角度が小さくても光信号を受光することができる。それだけ、受光素子４１１ｂ
の選択範囲が広がり、電子機器を構成する部材の選択の幅が広がる。
【００５９】
図３(Ａ)、図３（Ｂ）に示すリモコン受光部では角度Ｃの（Ｄ−Ａ）／２から近い値と
して＋５°及び−５°を例示しているが、それに限定されるものではなく、限界角度Ａ°
よりも広い角度から入射する光信号を受信できるものを広く採用することができる。
【００６０】
信号誘導部材の上側傾斜部の角度を上述の各実施例のように決定することで、受光素子
に直接入射する光信号よりも、広い角度から入射した光信号を受信できるとともに、直接
入射する角度から限界の入射角度の間に光信号が受信できない角度が存在しないようにす
ることができる。また、上側傾斜部の角度を上述の各実施例のように形成することで、斜
め上から電子機器の前面パネルを見下ろしたときに、受光窓より電子機器の内部が見えに
くくなっている。
【００６１】
また、上記実施例では、信号誘導部材の上側傾斜部の角度を調整するものを例示してい
るが、それ限定されるものではなく、信号誘導部材の全周にわたって適用が可能である。
例えば、側方の傾斜部の角度を上述のように設定することで、リモコン受信部の横方向の
光信号受信角度が広くなり、広範囲な場所からの光信号を受光可能とすることが可能であ
る。
【産業上の利用可能性】
【００６２】
本考案のリモコン受光部は、ＴＶ受像機、ＶＴＲ、ＤＶＤ装置等のリモートコントロー
ラを用いて操作する電子機器において適用することができる。
【図面の簡単な説明】
【００６３】
【図１】本考案にかかる電子機器の断面図である。
【図２】図１に示すリモコン受光部の信号誘導部材の一例の拡大断面図である。
【図３】図（Ａ）、図（Ｂ）に図２に示すリモコン受光部の信号誘導部材の他の例の拡大断面図を示す。
【図４】従来の電子機器のリモコン受光部が配置されている部分の断面図である。
【図５】従来の電子機器のリモコン受光部が配置されている部分の断面図である。
【符号の説明】
【００６４】
１  本体部
２  前面パネル
２１  正面部
２２  表示窓
２３  カバー
３  基板
４  リモコン受光部
４１  受光センサ
４１１  受光素子
４１０  ホルダ
４２  受光窓部
４３  信号誘導部材
【図１】
0003110438.tif 000003
【図２】
0003110438.tif 000004
【図３】
0003110438.tif 000005
【図４】
0003110438.tif 000006
【図５】
0003110438.tif 000007